(57)【要約】【課題】凹所内に装填したコイルスプリングが不用意に飛び出すようなことがなく、しかもフック部材の剛性を高めることが出来るハンガーを提供するにある。【解決手段】ハンガー本体と、このハンガー本体を吊り掛けるためのフック部材から構成され、フック部材は、挟持部とこれら挟持部の長さ方向一端から延びる握り操作部が備えられると共に連結軸を介して揺動可能に枢支された左右一対のフック体と、前記フック体の挟持部を近接する方向に付勢させるためのスプリング部材から構成され、前記フック体の挟持部及び握り操作部が、連結壁により連結された一対の対向壁を備え、これら対向壁間の凹所に前記スプリング部材が介装されているハンガーにおいて、前記凹所の開口を閉鎖して前記スプリング部材の凹所からの離脱を阻止するための閉鎖体を前記フック体とは別途形成して、この閉鎖体を前記凹所の開口部位に取り付け、また対向壁間の凹所内には補強壁が立設され、閉鎖体には前記補強壁を挟持する一対の挟み止め片が設けられている。【選択図】図２
2008178521.tif 000002
【特許請求の範囲】
【請求項１】
ハンガー本体と、このハンガー本体を吊り掛けるためのフック部材から構成され、フック部材は、挟持部とこれら挟持部の長さ方向一端から延びる握り操作部が備えられると共に連結軸を介して揺動可能に枢支された左右一対のフック体と、前記フック体の挟持部を近接する方向に付勢させるためのスプリング部材から構成され、前記フック体の挟持部及び握り操作部が、連結壁により連結された一対の対向壁を備え、これら対向壁間の凹所に前記スプリング部材が介装されているハンガーにおいて、前記凹所の開口を閉鎖して前記スプリング部材の凹所からの離脱を阻止するための閉鎖体を前記フック体とは別途形成して、この閉鎖体を前記凹所の開口部位に取り付けていることを特徴とするハンガー。
【請求項２】
対向壁間の凹所内に補強壁が立設される一方、閉鎖体には前記補強壁を挟持する一対の挟み止め片が設けられていることを特徴とする請求項１に記載のハンガー。
【請求項３】
一方の挟み止め片の先端部には、連結壁の一端外面に係合する係止爪が一体形成されていることを特徴とする請求項２に記載のハンガー。
【発明の詳細な説明】
【技術分野】
【０００１】
本発明は、主として被服を吊り掛けるためのハンガーに関する。
【背景技術】
【０００２】
一般にこの種のハンガーは、被服などを掛けるためのハンガー本体と、このハンガー本体を例えば物干竿に吊り掛けるためのフック部材から構成され、また前述のフック部材は、挟持部とこれら挟持部の長さ方向一端から延びる握り操作部が備えられると共に連結軸を介して揺動可能に枢支された左右一対のフック体と、前記フック体の挟持部を近接する方向に付勢させるためのスプリング部材から構成されている。
【０００３】
そして以上のハンガーは、一般的に合成樹脂材料から成型されることから、その成型上、前記フック体の挟持部及び握り操作部は、連結壁により連結された一対の対向壁を備えた断面Ｕ字状に形成されて、対向壁間に生じる凹所内にスプリング部材が介装されており、前記凹所は開口している。（特許文献１参照）
そのため以上のハンガーでは、スプリング部材が左右フック体の凹部内に単に介装されているだけであるので、例えばハンガーの使用時などに、スプリング部材が凹部内から不用意に飛び出て、フック部材が機能しなくなったり、場合によっては飛び出したスプリング部材が使用者に当たるなどにより、使用者が傷つく可能性も否定できない。
【特許文献１】登録実用新案第３０３１８２８号
【発明の開示】
【発明が解決しようとする課題】
【０００４】
本発明は以上の実情に鑑みて開発したものであって、目的とするところは、凹所内に装填したコイルスプリングが不用意に飛び出すようなことがなく、しかもフック部材の剛性を高めることが出来るハンガーを提供するにある。
【課題を解決するための手段】
【０００５】
以上の目的を達成するため、請求項１に記載の発明は、ハンガー本体と、このハンガー本体を吊り掛けるためのフック部材から構成され、フック部材は、挟持部とこれら挟持部の長さ方向一端から延びる握り操作部が備えられると共に連結軸を介して揺動可能に枢支された左右一対のフック体と、前記フック体の挟持部を近接する方向に付勢させるためのスプリング部材から構成され、前記フック体の挟持部及び握り操作部が、連結壁により連結された一対の対向壁を備え、これら対向壁間の凹所に前記スプリング部材が介装されているハンガーにおいて、前記凹所の開口を閉鎖して前記スプリング部材の凹所からの離脱を阻止するための閉鎖体を前記フック体とは別途形成して、この閉鎖体を前記凹所の開口部位に取り付けていることを特徴とするものである。
【０００６】
請求項１に記載の発明によれば、閉鎖体により、スプリング部材が介装されている凹所の開口が閉鎖されているので、スプリング部材の凹所からの離脱が抑制される。
【０００７】
請求項２に記載の発明は、請求項１に記載のハンガーにおいて、対向壁間の凹所内に補強壁が立設される一方、閉鎖体には前記補強壁を挟持する一対の挟み止め片が設けられていることを特徴とするものである。
【０００８】
請求項２に記載の発明では、補強壁によりフック体の剛性が高まるし、閉鎖体のハンガー体への取り付けが確実に行なえる。
【０００９】
請求項３に記載の発明は、請求項２に記載のハンガーにおいて、一方の挟み止め片の先端部には、連結壁の一端外面に係合する係止爪が一体形成されていることを特徴とするものである。
【００１０】
請求項３に記載の発明によれば、係止爪の連結壁への係合により、閉鎖体のフック体への取り付けがより一層確実となる。
【発明の効果】
【００１１】
請求項１に記載の発明によれば、スプリング部材が介装されている凹所の開口が閉鎖体により閉鎖されて、スプリング部材の凹所からの離脱が抑制されるので、凹所内のスプリング部材が不用意に外部に飛び出すのを確実に防止することが出来る。
【００１２】
請求項２に記載の発明によれば、請求項１に記載の発明の効果に加え、フック体の強度を充分確保することができながら、補強壁に閉鎖体を確実に取り付けることが出来る。
【００１３】
請求項３に記載の発明によれば、請求項２に記載の発明の効果に加え、閉鎖体をフック体により一層確実に取り付けることが出来、閉鎖体が不用意にフック体から離脱するのを防止することが出来る。
【発明を実施するための最良の形態】
【００１４】
図１において符号１で概略的に示すハンガーは、ハンガー本体２と、このハンガー本体２を例えば物干竿などに吊り掛けるためのフック部材３から構成されている。
【００１５】
ハンガー本体２は、図１にも示すように、直杆部２１と、この直杆部２１の両端から湾曲状にＵターンして斜め上方に延びる左右一対の腕杆部２２ａ・２２ｂが備えられている。
【００１６】
直杆部２１の両端部には、被服をこの直杆部２１とで挟持するための挟持片２３と、被服を吊り掛けるための吊り掛け片２４が一体に形成されている。
【００１７】
腕杆部２２ａ・２２ｂの長さ方向中間部には、被服を引っ掛けるための引っ掛け部２５が一体形成され、また腕杆部２２ａ・２２ｂの遊端には、フック部材３を連結するための連結軸２６が突設されている。
【００１８】
フック部材３は、左右一対のフック体３１ａ・３１ｂと、スプリング部材３０が備えられている。
【００１９】
スプリング部材３０は、コイルの両端から一対の脚３０ａ・３０ｂが一体に延びている所謂脚付きのものである。
【００２０】
フック体３１ａ・３１ｂは、図２にも示すように、湾曲状に屈曲する挟持部３２ａ・３２ｂと、これら挟持部３２ａ・３２ｂの長さ方向一端から延びる握り操作部３３ａ・３３ｂが備えられている。
【００２１】
これら挟持部３２ａ・３２ｂ及び握り操作部３３ａ・３３ｂは、相対向する一対の対向壁３４とこれら対向壁３４の幅方向一端を連結する連結壁３５が備えられた断面略Ｕ字状に形成されており、対向壁３４間の凹所３６内には、複数の補強壁３７が所定間隔開けて立設している。
【００２２】
また挟持部３２ａ・３２ｂと握り操作部３３ａ・３３ｂの境界における一対の対向壁３４には、左右フック体３１ａ・３１ｂを連結するための連結片３８ａ・３８ｂが突設されて、一方の連結片３８ａには連結軸３９ａが、他方の連結片３８ｂには前述の連結軸３９ａが嵌合可能な連結孔３９ｂがそれぞれ設けられている。
【００２３】
また握り操作部３３ａ・３３ｂにおける対向壁３４の一端にも、連結片４０ａ・４０ｂが突設されて、これら連結片４０ａ・４０ｂには、ハンガー本体２に設けた連結軸２６が嵌合可能な連結孔４１ａ・４１ｂが設けられている。
【００２４】
そして、以上の左右フック体３１ａ・３１ｂは、連結軸３９ａを連結孔３９ｂに嵌めることで連結されて、左右の挟持部３２ａ・３２ｂが連結軸３９ａを支点にして近接乃至離間方向に揺動するのであって、また図２にも示すように、前記スプリング部材３０を左右フック本体３１ａ・３１ｂの凹所３６内に介装し、脚３０ａ・３０ｂを握り操作部３３ａ・３３ｂの凹所３６内において補強壁３７の先端に当接させることで、スプリング部材３０のバネ反力により、左右の挟持部３２ａ・３２ｂが互いに近接する方向に付勢されている。
【００２５】
以上の構成から成るハンガー１において、図に示す実施形態では、スプリング部材３０が不用意に飛び出さないように前記凹所３６の開口を一部閉鎖するための閉鎖体５がフック体３１ａ・３１ｂとは別途形成され、この閉鎖体５がフック体３１ａ・３１ｂに取り付けられている。
【００２６】
この閉鎖体５は、図３及び図４に示すように短冊状であって、その幅が凹所２６の幅とほぼ同一に形成されて、凹所２６の開口部に密嵌可能で、その長さ方向一端には、補強壁３７を挟持するための一対の挟み止め片５１・５２が一体形成され、一方の挟み止め片５１の先端部には、この挟み止め片５１に対して斜めに延びるガイド片５３が一体形成され、他方の挟み止め片５２の先端には連結壁３５の一端外面に係合する係止爪５４が一体形成されている。
【００２７】
そして以上の閉鎖体５は、図２にも示すように、左右フック体３１ａ・３１ｂにおける握り操作部３３ａ・３３ｂの遊端に設けられた補強壁３７を挟み止め片５１・５２で挟持すると同時に、係止爪５４を連結壁３５の端部外面に係合させることで、左右フック体３１ａ・３１ｂに組みつけて、握り操作部３３ａ・３３ｂにおける凹所３６の開口を閉鎖するのである。
【００２８】
以上のハンガー本体２、フック部材３を構成するフック体３１ａ・３１ｂ及び閉鎖体５は、合成樹脂材料から形成され、ハンガー本体２の特に直杆部２１は弾性的に撓むようになっている。
【００２９】
斯くして以上のハンガーでは、スプリング部材３０が介装されている握り操作部３３ａ・３３ｂの凹所３６内に補強壁３７が設けられているので、左右フック体３１ａ・３１ｂにおける特に握り操作部３３ａ・３３ｂの強度が高められ、しかもこの補強壁３７を有効利用すべく、補強壁３７に閉鎖体５が取り付けられて、前記凹所３６の開口が閉鎖体５で閉じられているので、握り操作部３３ａ・３３ｂの凹所３６内のスプリング部材３０が不用意に外部に飛び出すようなこともないのである。
【００３０】
以上の実施形態では、ハンガー本体２に挟持片２３、吊り掛け変２４、引っ掛け部２５を設けたが、これら挟持片２３、吊り掛け変２４、引っ掛け部２５は必ずしも必要ではない。
【図面の簡単な説明】
【００３１】
【図１】本発明にかかるハンガーの正面図。
【図２】同、要部の拡大断面図。
【図３】閉鎖体の正面図。
【図４】閉鎖体の側面図。
【図５】フック体の側面図。
【図６】フック体の側面図。
【符号の説明】
【００３２】
１        ハンガー
２        ハンガー本体
３        フック部材
３０      スプリング
３１ａ    フック体
３１ｂ    フック体
３２ａ    挟持部
３２ｂ    挟持部
３３ａ    握り操作部
３３ｂ    握り操作部
３４      対向壁
３５      連結壁
３６      凹所
３７      補強壁
５        閉鎖体
５１      挟み止め片
５２      挟み止め片
【図１】
2008178521.tif 000003
【図２】
2008178521.tif 000004
【図３】
2008178521.tif 000005
【図４】
2008178521.tif 000006
【図５】
2008178521.tif 000007
【図６】
2008178521.tif 000008